(57)【要約】【課題】燃料電池システムにおける発電効率の低下、構成の複雑化、及び信頼性の低下を抑制可能な脱硫システム、及び脱硫方法を提供する。【解決手段】  脱硫システム１００は、脱硫触媒を用いて水素含有燃料の脱硫を行う脱硫器２と、改質器２０において発生した水素含有ガスの少なくとも一部を脱硫器２に導入するためのリサイクルガスラインＲと、脱硫器２における脱硫方式を、水素含有ガスを用いた水添脱硫と吸着脱硫との間で切り替える制御部１１と、を備える。制御部１１は、一定時間経過するごとに、又は、水素含有燃料の積算流量が一定量に達するごとに、所定時間だけ、リサイクルガスラインＲを介して水素含有ガスを脱硫器２に導入して脱硫器２の脱硫方式を水添脱硫に切り替える。【選択図】図２
2016021282.tif 000002
【特許請求の範囲】
【請求項１】
改質器を有する燃料電池システムに用いられ、水素含有燃料の脱硫を行って脱硫された前記水素含有燃料を前記改質器に供給する脱硫システムであって、
脱硫触媒を用いて前記水素含有燃料の脱硫を行う脱硫器と、
前記改質器において発生した水素含有ガスの少なくとも一部を前記脱硫器に導入するための導入ラインと、
前記脱硫器における脱硫方式を、前記水素含有ガスを用いた水添脱硫と吸着脱硫との間で切り替える制御部と、を備え、
前記制御部は、一定時間経過するごとに、又は、前記水素含有燃料の積算流量が一定量に達するごとに、所定時間だけ、前記導入ラインを介して前記水素含有ガスを前記脱硫器に導入して前記脱硫器の脱硫方式を前記水添脱硫に切り替える、
ことを特徴とする脱硫システム。
【請求項２】
前記制御部は、前記燃料電池システムが発電工程以外の工程を実施しているときに、前記脱硫器の脱硫方式を前記水添脱硫に切り替える、
ことを特徴とする請求項１に記載の脱硫システム。
【請求項３】
前記制御部は、前記燃料電池システムが停止工程を実施しているときに、前記脱硫器の脱硫方式を前記水添脱硫に切り替える、
ことを特徴とする請求項１又は２に記載の脱硫システム。
【請求項４】
前記導入ラインには、シフト触媒が充填されている、
ことを特徴とする請求項１〜３のいずれか一項に記載の脱硫システム。
【請求項５】
前記導入ラインには、水分除去機構が設けられている、
ことを特徴とする請求項１〜４のいずれか一項に記載の脱硫システム。
【請求項６】
改質器を有する燃料電池システムに用いられ、水素含有燃料の脱硫を行って脱硫された前記水素含有燃料を前記改質器に供給する脱硫方法であって、
脱硫触媒を有する脱硫器を用いて前記水素含有燃料の脱硫を行う脱硫工程と、
前記脱硫器における脱硫方式を、前記改質器において発生した水素含有ガスを用いた水添脱硫と吸着脱硫との間で切り替える切り替え工程と、を含み、
前記切り替え工程においては、一定時間経過するごとに、又は、前記水素含有燃料の積算流量が一定量に達するごとに、所定時間だけ、導入ラインを介して前記水素含有ガスを前記脱硫器に導入して前記脱硫器の脱硫方式を水添脱硫に切り替える、
ことを特徴とする脱硫方法。
【発明の詳細な説明】
【技術分野】
【０００１】
本発明は、燃料電池システムに用いられる脱硫システム、及び、脱硫方法に関する。
【背景技術】
【０００２】
特許文献１には、燃料改質システムと燃料電池とを備える燃料電池システムが記載されている。燃料改質システムは、上流側から順に配置された脱硫器、改質反応器、及びＣＯ選択酸化反応器を有している。脱硫器は、水添吸着脱硫剤を用いて原燃料から硫黄化合物を除去する。改質反応器は、脱硫された原燃料を水蒸気と反応させて改質ガスを生成する。ＣＯ選択酸化反応器は、改質ガスに含まれるＣＯを選択的に酸化してＣＯ２に変換する。また、燃料電池システムは、ＣＯ選択酸化反応器に供される前の改質ガスの一部（リサイクルガス）を原燃料に添加するリサイクルラインを有している。そして、脱硫器には、原燃料とリサイクルガスとの混合ガスが供給される。
【先行技術文献】
【特許文献】
【０００３】
【特許文献１】特許第４９３１８６５号
【発明の概要】
【発明が解決しようとする課題】
【０００４】
上述したように、特許文献１に記載された燃料電池システムにおいては、水添吸着脱硫剤が充填された脱硫器に対して、原燃料とリサイクルガスとの混合ガスが供給されることにより、原燃料の水添脱硫が行われる。このような脱硫を行う場合には、リサイクルラインにおけるリサイクルガスの放熱により発電効率が低下するおそれがある。また、そのような発電効率の低下を抑制するためにリサイクルガスの流量を低減させようとすると、リサイクルラインに対して流量抑制機構を別途設ける必要があり、構成が複雑となる。さらに、ドレンの発生によりリサイクルラインが閉塞する結果、燃料電池システムの信頼性が低下するおそれがある。
【０００５】
本発明は、そのような事情に鑑みてなされたものであり、燃料電池システムにおける発電効率の低下、構成の複雑化、及び信頼性の低下を抑制可能な脱硫システム、及び脱硫方法を提供することを目的とする。
【課題を解決するための手段】
【０００６】
上記課題を解決するために、本発明に係る脱硫システムは、改質器を有する燃料電池システムに用いられ、水素含有燃料の脱硫を行って脱硫された水素含有燃料を改質器に供給する脱硫システムであって、脱硫触媒を用いて水素含有燃料の脱硫を行う脱硫器と、改質器において発生した水素含有ガスの少なくとも一部を脱硫器に導入するための導入ラインと、脱硫器における脱硫方式を、水素含有ガスを用いた水添脱硫と吸着脱硫との間で切り替える制御部と、を備え、制御部は、一定時間経過するごとに、又は、水素含有燃料の積算流量が一定量に達するごとに、所定時間だけ、導入ラインを介して水素含有ガスを脱硫器に導入して脱硫器の脱硫方式を前記水添脱硫に切り替える、ことを特徴とする。
【０００７】
また、上記課題を解決するために、本発明に係る脱硫方法は、改質器を有する燃料電池システムに用いられ、水素含有燃料の脱硫を行って脱硫された水素含有燃料を改質器に供給する脱硫方法であって、脱硫触媒を有する脱硫器を用いて水素含有燃料の脱硫を行う脱硫工程と、脱硫器における脱硫方式を、改質器において発生した水素含有ガスを用いた水添脱硫と吸着脱硫との間で切り替える切り替え工程と、を含み、切り替え工程においては、一定時間経過するごとに、又は、水素含有燃料の積算流量が一定量に達するごとに、所定時間だけ、導入ラインを介して水素含有ガスを脱硫器に導入して脱硫器の脱硫方式を水添脱硫に切り替える、ことを特徴とする。
【０００８】
この脱硫システム及び脱硫方法においては、水素含有燃料の脱硫方式が、水素含有ガスを用いた水添脱硫と吸着脱硫との間で切り替えられる。特に、脱硫方式は、一定時間経過するごとに、又は、水素含有燃料の積算流量が一定量に達するごとに、導入ラインを介して水素含有ガスを所定時間だけ脱硫器に導入することによって、その所定時間だけ吸着脱硫から水添脱硫に切り替えられる。つまり、この脱硫システム及び脱硫方法においては、導入ラインからの水素含有ガスを用いた水添脱硫が所定時間だけ行われ、それ以外の時間には吸着脱硫が行われる。このため、導入ラインを介して脱硫器に水素含有ガスを導入する時間が短縮される。その結果、導入ラインにおける水素含有ガスの放熱が抑えられ、燃料電池システムの発電効率の低下が抑制される。これにより、導入ラインに対して水素含有ガスの流量を抑制する機構を別途設ける必要がなくなり、構成の複雑化が避けられる。さらに、導入ラインが閉塞する可能性が低くなり、信頼性の低下が抑制される。
【０００９】
なお、この脱硫システム及び脱硫方法においては、上述したように、定期的に、水素含有ガスが脱硫器に導入され、脱硫方式が水添脱硫に切り替えられる。このとき、吸着脱硫の間に脱硫触媒に吸着された硫黄分等が水素含有ガスの導入により分解され、脱硫触媒が再生される。このため、脱硫触媒の量を低減して脱硫器を小型化することも可能となる。
【００１０】
本発明に係る脱硫システムにおいては、制御部は、燃料電池システムが発電工程以外の工程を実施しているときに、脱硫器の脱硫方式を水添脱硫に切り替えてもよい。或いは、本発明に係る脱硫システムにおいては、制御部は、燃料電池システムが停止工程を実施しているときに、脱硫器の脱硫方式を水添脱硫に切り替えてもよい。これらの場合、導入ラインを介して水素含有ガスを脱硫器に導入することにより脱硫方式を水添脱硫に切り替える際に、燃料電池システムが発電工程を実施していないので、発電効率の低下が確実に抑制される。
【００１１】
本発明に係る脱硫システムにおいては、導入ラインには、シフト触媒が充填されていてもよい。この場合、導入ラインに充填されたシフト触媒のシフト反応によって、導入ラインを介して脱硫器に導入される水素含有ガスの水素濃度が向上する。このため、水素含有ガスの導入による脱硫触媒の再生時間が短縮される。また、導入ラインを流通する水素含有ガスの水分量がシフト反応により低下させられるため、ドレンの発生による導入ラインの閉塞が抑制される。このため、信頼性が向上する。
【００１２】
本発明に係る脱硫システムにおいては、導入ラインには、水分除去機構が設けられていてもよい。この場合、導入ラインを流通する水素含有ガスから水分が除去される結果、効率的に脱硫触媒の再生を行うことができる。
【発明の効果】
【００１３】
本発明によれば、燃料電池システムにおける発電効率の低下、構成の複雑化、及び信頼性の低下を抑制可能な脱硫システム、及び脱硫方法を提供することができる。
【図面の簡単な説明】
【００１４】
【図１】本実施形態に係る脱硫システムを含む燃料電池システムを示すブロック図である。
【図２】図１に示された燃料電池システムの構成を示す概略図である。
【図３】本実施形態に係る脱硫方法のうちの切り替え工程の一例を示すフローチャートである。
【図４】本実施形態に係る脱硫方法のうちの切り替え工程の別例を示すフローチャートである。
【発明を実施するための形態】
【００１５】
以下、本発明に係る脱硫システム及び脱硫方法の一実施形態について、図面を参照して詳細に説明する。なお、図面の説明において、同一の要素同士、或いは相当する要素同士には、互いに同一の符号を付し、重複する説明を省略する。
【００１６】
図１は、本実施形態に係る脱硫システムを含む燃料電池システムを示すブロック図である。図１に示されるように、本実施形態に係る脱硫システム１００は、改質器２０を有する燃料電池システム１に用いられものである。そこで、まず、燃料電池システムの全体構成について説明する。
【００１７】
燃料電池システム１は、脱硫器２と、水気化部３と、水素発生部４と、セルスタック５と、オフガス燃焼部（燃焼部）６と、水素含有燃料供給部７と、水供給部８と、酸化剤供給部９と、パワーコンディショナー１０と、制御部１１と、を備えている。燃料電池システム１は、水素含有燃料及び酸化剤を用いて、セルスタック５にて発電を行う。セルスタック５としては、固体酸化物形燃料電池（ＳＯＦＣ：Solid Oxide Fuel Cell）が採用されている。
【００１８】
なお、セルスタック５の種類は特に限定されず、例えば、固体高分子形燃料電池（ＰＥＦＣ：Polymer  Electrolyte  Fuel  Cell）、リン酸形燃料電池（ＰＡＦＣ：Phosphoric  Acid  Fuel  Cell）、溶融炭酸塩形燃料電池（ＭＣＦＣ：Molten  Carbonate  Fuel  Cell）、及び、その他の種類を採用することができる。また、セルスタック５の種類、水素含有燃料の種類、及び改質方式等に応じて、図１に示す構成要素を適宜省略又は変更してもよい。
【００１９】
水素含有燃料として、例えば、炭化水素系燃料が用いられる。炭化水素系燃料として、分子中に炭素と水素とを含む化合物（酸素等、他の元素を含んでいてもよい）若しくはそれらの混合物が用いられる。炭化水素系燃料として、例えば、炭化水素類、アルコール類、エーテル類、バイオ燃料が挙げられ、これらの炭化水素系燃料は従来の石油・石炭等の化石燃料由来のもの、合成ガス等の合成系燃料由来のもの、バイオマス由来のものを適宜用いることができる。
【００２０】
具体的には、炭化水素類として、メタン、エタン、プロパン、ブタン、天然ガス、ＬＰＧ（液化石油ガス）、都市ガス、タウンガス、ガソリン、ナフサ、灯油、軽油が挙げられる。アルコール類として、メタノール、エタノールが挙げられる。エーテル類として、ジメチルエーテルが挙げられる。バイオ燃料として、バイオガス、バイオエタノール、バイオディーゼル、バイオジェットが挙げられる。酸化剤として、例えば、空気、純酸素ガス（通常の除去手法で除去が困難な不純物を含んでもよい）、酸素富化空気が用いられる。
【００２１】
脱硫器２は、水素発生部４に供給される水素含有燃料の脱硫を行う。脱硫器２は、水素含有燃料に含有される硫黄化合物を除去するための脱硫触媒を有している。脱硫器２の脱硫方式として、例えば、硫黄化合物を吸着して除去する吸着脱硫方式や、硫黄化合物を水素と反応させて除去する水添脱硫方式が採用される。脱硫器２は、脱硫した水素含有燃料を水素発生部４へ供給する。つまり、脱硫器２は、脱硫触媒を用いて水素含有燃料の脱硫を行う。なお、脱硫器２における脱硫方式は、後述するように、制御部１１の制御の元で、吸着脱硫と水添脱硫との間で切り替えられる。
【００２２】
脱硫器２は、水素含有燃料の吸着脱硫及び水添脱硫を行うために、１又は複数の触媒層（不図示）を有している。一例として、脱硫器２は、Ｃｕ−Ｚｎ−Ｎｉ系等の触媒を用いることができる。この場合には、１層の触媒層によって、吸着脱硫及び水添脱硫を行うことができる。一方、一例として、脱硫器２は、ＮｉＭｏ系等の触媒を用いることができる。この場合には、ＮｉＭｏ系等の触媒の触媒層をＺｎＯ等の触媒層と積層して２層として適用することができる。すなわち、脱硫器２は、第１及び第２の触媒層を有することができる。第１の触媒層の触媒は、例えば、ＮｉＭｏ、ＣｏＭｏ、ＮｉＣｏＭｏ、ＮｉＷ、金属Ｎｉ系触媒、及び、金属Ｃｕ系触媒等である。第２の触媒層の触媒は、例えばＺｎＯ等である。第１の触媒層と第２の触媒層とは互いに積層されている。第１の触媒層は、水素含有燃料の流路上において、第２の触媒層の上流側に配置される。第１の触媒層は、例えば、水素含有燃料中の硫黄成分を硫化水素へ変換する。反応の一例としては、ＤＭＳ（dimethyl  sulfide）の場合、（ＣＨ３）２Ｓ＋２Ｈ２→Ｈ２Ｓ＋２ＣＨ４等である。また、第２の触媒層は、第１の触媒層で生じた硫化水素を酸化亜鉛から硫化亜鉛にすることで脱硫する。反応の一例としては、ＺｎＯ＋Ｈ２Ｓ→ＺｎＳ＋Ｈ２Ｏ等である。なお、上述したＣｕ−Ｚｎ−Ｎｉ系等の触媒を用いる場合には、これらの２つの反応を１つの触媒層で行うことができる。
【００２３】
水気化部３は、水を加熱し気化させることによって水蒸気を生成するものであり、改質器２０に含まれている。水気化部３における水の加熱は、オフガス燃焼部６による熱が利用される。なお、水気化部３における水の加熱は、例えば、排ガスの熱等の燃料電池システム１内で発生した熱を用いてもよいし、別途ヒータやバーナ等の他熱源を用いて水を加熱してもよい。水気化部３は、生成した水蒸気を水素発生部４へ供給する。
【００２４】
水素発生部４は、水素含有燃料を用いて水素リッチガスである改質ガス（水素含有ガス）を発生させるものであり、改質器２０に含まれている。水素発生部４は、発生させた改質ガスをセルスタック５のアノード１２へ供給する。また、水素発生部４は、発生させた改質ガスの少なくとも一部を、リサイクルガスラインＲを介して脱硫器２の上流側にリサイクルガスとして循環させる。つまり、リサイクルガスラインＲは、改質器２０において発生した水素含有ガスの少なくとも一部を脱硫器２に導入するための導入ラインとして機能する。
【００２５】
水素発生部４での改質方式は、特に限定されず、例えば、水蒸気改質、部分酸化改質、自己熱改質、その他の改質方式を採用できる。水素発生部４には、脱硫器２から水素含有燃料が供給されると共に、必要に応じて、空気等の酸化剤や水気化部３から水蒸気が供給される。水素発生部４において改質ガスの発生に用いられる熱は、オフガス燃焼部６の熱が利用される。なお、水素発生部４に用いられる熱は、例えば、排ガスの熱等の燃料電池システム１内で発生した熱を用いてもよいし、別途ヒータやバーナ等の他熱源を用いて水を加熱してもよい。
【００２６】
なお、水素発生部４は、セルスタック５に要求される改質ガスの性状によって、他の構成を有する場合もある。例えば、セルスタック５のタイプが固体高分子形燃料電池（ＰＥＦＣ）やリン酸形燃料電池（ＰＡＦＣ）であった場合、水素発生部４は、改質ガス中の一酸化炭素を除去するための構成（例えば、シフト反応部及び選択酸化反応部）を有する。
【００２７】
セルスタック５は、水素発生部４からの改質ガス及び酸化剤供給部９からの酸化剤を用いて発電を行う。セルスタック５は、改質ガスが供給されるアノード１２と、酸化剤が供給されるカソード１３と、アノード１２とカソード１３との間に配置される電解質１４と、を備えている。セルスタック５は、パワーコンディショナー１０を介して、電力を外部へ供給する。セルスタック５は、発電に用いられなかった改質ガス及び酸化剤をオフガスとして、オフガス燃焼部６へ供給する。
【００２８】
オフガス燃焼部６は、セルスタック５から供給されるオフガスを燃焼させる。オフガス燃焼部６は、セルスタック５上に形成されている。オフガス燃焼部６によって発生する熱は、水気化部３に供給されて水蒸気の生成に用いられると共に、水素発生部４へ供給されて改質ガスの発生に用いられる。
【００２９】
水素含有燃料供給部７は、脱硫器２へ水素含有燃料を供給する。水供給部８は、水気化部３へ水を供給する。酸化剤供給部９は、セルスタック５のカソード１３へ酸化剤を供給する。水素含有燃料供給部７、水供給部８及び酸化剤供給部９は、例えばポンプによって構成されており、制御部１１からの制御信号に基づいて駆動される。
【００３０】
パワーコンディショナー１０は、セルスタック５からの電力を、外部での電力使用状態に合わせて調整する。パワーコンディショナー１０は、例えば、電圧を変換する処理や、直流電力を交流電力へ変換する処理を行う。
【００３１】
制御部１１は、燃料電池システム１全体の制御処理を行う。制御部１１は、例えばＣＰＵ（Central Processing Unit）、ＲＯＭ（Read OnlyMemory）、ＲＡＭ（Random Access Memory）、及び入出力インターフェイスを含んで構成されたデバイスによって構成される。制御部１１は、水素含有燃料供給部７、水供給部８、酸化剤供給部９、パワーコンディショナー１０、その他、後述する各要素や図示されないセンサや補機と電気的に接続されている。制御部１１は、燃料電池システム１内で発生する各種信号を取得すると共に、燃料電池システム１内の各要素へ制御信号を出力する。特に、制御部１１は、脱硫器２における脱硫方式を、水素含有ガスを用いた水添脱硫と吸着脱硫との間で切り替える制御を行うが、この制御の詳細は後述する。
【００３２】
図２は、図１の燃料電池システムの構成を示す概略図である。図２に示すように、燃料電池システム１において、改質器２０は、オフガス燃焼部６により加熱されるものであり、オフガス燃焼部６で発生する燃焼熱を受熱可能な位置に配されている。ここでの改質器２０は、オフガス燃焼部６の上方においてセルスタック５に対向するよう配置されている。オフガス燃焼部６は、例えばセルスタック５のアノード出口を改質器２０側に開放することにより、改質器２０とセルスタック５との間に画成される。オフガス燃焼部６からの排気ガスは、例えば排気触媒を介して外部へ排気される。
【００３３】
脱硫器２は、改質器２０及びセルスタック５を収容する筐体１５に当接するように設けられている。これにより、脱硫器２には当該筐体１５内の熱（すなわち、セルスタック５を含む発電モジュールからの放熱）が伝わり、脱硫器２の温度が高温に保持される。脱硫器２には、上述したような脱硫触媒が充填されている。なお、脱硫器２、セルスタック５及び改質器２０の周囲には、断熱材（不図示）が適宜設けられている。
【００３４】
リサイクルガスラインＲは、脱硫器２にリサイクルガス（水素含有ガス）を循環させるものである。脱硫器２は、このリサイクルガスラインＲを介して導入されたリサイクルガスを利用して水素含有燃料の水添脱硫を行うことができる。リサイクルガスラインＲは、その戻り側が、水素含有燃料を供給するフィードライン１６において水素含有燃料供給部７と逆止弁等の圧力調整部３１との間に接続されており、これらの間にリサイクルガスを戻している。
【００３５】
リサイクルガスラインＲには、水分を除去するドレーナ（水分除去機構）３２、逆止弁等の圧力調整部３４、及びバルブ３５が、リサイクルガスの上流から下流に向かう方向にこの順で設けられている。フィードライン１６において圧力調整部３１の上流側には、バルブ３６及び流量計３７が設けられている。なお、リサイクルガスラインＲには、ポンプ等がさらに設けられていてもよい。
【００３６】
引き続いて、脱硫システム１００について詳細に説明する。脱硫システム１００は、水素含有燃料の脱硫を行って脱硫された水素含有燃料を改質器２０（ここでは水素発生部４）に供給する。脱硫システム１００は、脱硫器２、リサイクルガスラインＲ、及び、制御部１１等から構成される。制御部１１は、脱硫器２における脱硫方式を、リサイクルガスを用いた水添脱硫とリサイクルガスを用いない吸着脱硫との間で切り替える制御を行う。
【００３７】
より具体的には、制御部１１は、積算流量計算部１１ａと、触媒再生判断部１１ｂとを含む。積算流量計算部１１ａは、流量計３７からの水素含有燃料の流量（フィードガス流量）を示す流量信号を受信する。積算流量計算部１１ａは、その流量計３７からの流量信号に基づいて、脱硫器２において吸着脱硫が開始されてからの水素含有燃料の積算流量を計算する。そして、積算流量計算部１１ａは、積算流量の計算結果を示す信号を触媒再生判断部１１ｂに送信する。
【００３８】
触媒再生判断部１１ｂは、積算流量計算部１１ａからの積算流量の計算結果を示す信号を受信する。触媒再生判断部１１ｂは、その積算流量の計算結果を示す信号に基づいて、積算流量が予め設定された所定量Ｆ１（Ｌ）よりも大きいか否かを判定する。また、触媒再生判断部１１ｂは、タイマ（不図示）から、脱硫器２において吸着脱硫が開始されてからの経過時間を示す信号を受信する。そして、触媒再生判断部１１ｂは、その経過時間を示す信号に基づいて、経過時間が予め設定された所定時間Ｔ１（ｍｉｎ）よりも大きいか否かを判定する。
【００３９】
これらの判定の結果、積算流量が所定量Ｆ１（Ｌ）よりも大きい場合、又は、経過時間が所定時間Ｔ１（ｍｉｎ）よりも大きい場合、触媒再生判断部１１ｂは、脱硫器２における脱硫触媒の再生が必要であるとして、脱硫器２における脱硫方式を当初の吸着脱硫から水添脱硫に切り替える。したがって、積算流量に関する所定量Ｆ１（Ｌ）は、例えば、脱硫器２に充填された脱硫触媒が吸着できる硫黄成分の総量と、水素含有燃料中の硫黄濃度とに応じて決定される。一方、経過時間に関する所定時間Ｔ１（ｍｉｎ）も同様にして設定してもよいが、一例として、燃料電池システム１において定期的に行われるマイコンメータの停止のタイミングに合わせるように設定されてもよい。
【００４０】
触媒再生判断部１１ｂは、脱硫器２における脱硫方式を吸着脱硫から水添脱硫に切り替えるために、リサイクルガスラインＲのバルブ３５を開くための再生工程信号をバルブ３５（或いはその制御手段）に送信し、該バルブ３５を開状態とする。これにより、脱硫器２に対してリサイクルガスラインＲを介してリサイクルガスが導入され、脱硫器２における脱硫方式が水添脱硫に切り替えられる。その結果、吸着脱硫を行っている間に脱硫器２の脱硫触媒に吸着された硫黄分等が、リサイクルガスにより分解され、脱硫触媒が再生される。
【００４１】
一方、触媒再生判断部１１ｂは、タイマ（不図示）からの信号を受信しており、そのタイマからの信号に基づいて、リサイクルガスラインＲのバルブ３５を開状態としたときからの経過時間（すなわち、脱硫器２における脱硫方式が水添脱硫に切り替えられてからの経過時間）が、所定時間Ｆ３（ｍiｎ）を超えたか否かを判定する。その判定の結果、当該経過時間が所定時間Ｆ３（ｍｉｎ）を超えた場合には、脱硫器２における脱硫触媒の再生が十分行われたものとして、脱硫器２における脱硫方式を吸着脱硫に戻す。そのために、触媒再生判断部１１ｂは、リサイクルガスラインＲのバルブ３５を閉じるための信号をバルブ３５（或いはその制御手段）に送信し、該バルブを閉状態とする。なお、所定時間Ｆ３（ｍｉｎ）は、脱硫器２において、触媒が吸着した全硫黄成分を硫化水素に変換させるために必要な時間であり、触媒が再生される触媒再生時間である。したがって、所定時間Ｆ３（ｍｉｎ）は、脱硫器２に充填した触媒の量に応じて決まる。なお、硫黄成分が硫化水素に変換された後には、触媒の吸着性能は回復する。
【００４２】
これにより、脱硫器２にリサイクルガスが導入されなくなり、脱硫器２における脱硫方式が吸着脱硫となる。そして、制御部１１は、再度、積算流量が所定量Ｆ１（Ｌ）を超えたとき、又は、経過時間が所定時間Ｔ１（ｍｉｎ）を超えたときに、同様にして脱硫器２の脱硫方式を水添脱硫に切り替える。つまり、脱硫システム１００においては、定期的に、脱硫器２の脱硫方式が吸着脱硫から水添脱硫に切り替えられ、脱硫器２の脱硫触媒の再生が行われる。
【００４３】
このように、制御部１１は、脱硫器２における吸着脱硫が開始されてから一定時間経過するごとに（経過時間が所定時間Ｔ１（ｍｉｎ）を超えたときに）、又は、水素含有燃料の積算流量が一定量に達するごとに（積算流量が所定量Ｆ１（Ｌ）を超えたときに）、所定時間（所定時間Ｆ３（ｍｉｎ））だけ、リサイクルガスラインＲを介してリサイクルガスを脱硫器２に導入し、脱硫器２の脱硫方式を水添脱硫に切り替える。
【００４４】
ここで、制御部１１は、燃料電池システム１が停止工程を実施しているときに、そのことを示す停止工程信号を受信する。そして、上述したような脱硫器２における脱硫方式の切り替えの制御を、その停止工程信号を受信したことを契機にして行うことができる。換言すれば、制御部１１は、燃料電池システム１が、停止工程を実施しているときに、上述したように脱硫器２における脱硫方式を水添脱硫に切り替えることができる。
【００４５】
引き続いて、本実施形態に係る脱硫方法について詳細に説明する。本実施形態に係る脱硫方法は、燃料電池システム１に用いられ、水素含有燃料の脱硫を行って脱硫された水素含有燃料を改質器２０に供給するものである。この脱硫方法においては、水素含有燃料供給部７から脱硫器２に水素含有燃料が供給され始めた時点で、脱硫器２を用いて水素含有燃料の脱硫を行う脱硫工程が実施されている。特に、脱硫工程においては、当初から吸着脱硫が行われている。
【００４６】
図３は、本実施形態に係る脱硫方法のうちの切り替え工程の一例を示すフローチャートである。図３に示される切り替え工程は、燃料電池システム１が発電工程を実施しているときに行われる。図３に示されるように、ここでは、まず、積算流量のカウントを開始する（工程Ｓ１０１）。より具体的には、例えば積算流量計算部１１ａが、流量計３７からの水素含有燃料の流量（フィードガス流量）を示す流量信号に基づいて、脱硫器２において吸着脱硫が開始されてからの水素含有燃料の積算流量を計算する。
【００４７】
続いて、カウントされた積算流量が所定量Ｆ１（Ｌ）よりも大きいか否かを判定する（工程Ｓ１０２）。より具体的には、例えば触媒再生判断部１１ｂが、積算流量計算部１１ａからの積算流量の計算結果を示す信号に基づいて、積算流量が予め設定された所定量Ｆ１（Ｌ）よりも大きいか否かを判定する。これは、脱硫器２の脱硫触媒が十分に吸着脱硫可能な状態であるか、或いは再生を行う必要がある状態であるかを、積算流量を目安にして判定することに相当する。
【００４８】
続いて、工程Ｓ１０２の判定の結果、積算流量が所定量Ｆ１（Ｌ）よりも大きい場合、例えば制御部１１が、燃料電池システム１の発電目標値（電力値）を０（Ｗ）に設定する（工程Ｓ１０３）。この工程Ｓ１０３は、発電工程を実施していた燃料電池システム１に対して、一時的に発電工程を停止させるための工程である。なお、工程Ｓ１０２の判定の結果、積算流量が所定量Ｆ１（Ｌ）以下である場合には、所定時間経過後に再び工程Ｓ１０２の判定を行う。
【００４９】
続いて、例えば制御部１１が、燃料電池システム１の発電出力（電力値）が所定値Ｆ２（Ｗ）よりも小さいか否かを判定する（工程Ｓ１０４）。この工程Ｓ１０４は、先の工程Ｓ１０３において燃料電池システム１の発電目標値を０（Ｗ）に設定した後に、燃料電池システム１の発電出力が十分小さくなっているか否かを判定する工程である。したがって、所定値Ｆ２（Ｗ）は、例えば、０とすることが理想的であるが、実際的には、電流計や基板等の補機類の計測誤差を加味して設定され、例えば０．５（Ｗ）程度とされる。
【００５０】
続いて、工程Ｓ１０４の判定の結果、燃料電池システム１の発電出力が所定値Ｆ２（Ｗ）よりも小さい場合、リサイクルガスラインＲのバルブ３５を開状態とする（工程Ｓ１０５）。より具体的には、例えば触媒再生判断部１１ｂが、リサイクルガスラインＲのバルブ３５を開くための再生工程信号をバルブ３５（或いはその制御手段）に送信し、該バルブ３５を開状態とする。これにより、脱硫器２に対してリサイクルガスラインＲを介してリサイクルガスが導入され、脱硫器２における脱硫方式が水添脱硫に切り替えられる。なお、工程Ｓ１０４の判定の結果、燃料電池システム１の発電出力が所定値Ｆ２（Ｗ）以上である場合には、所定時間経過後に再び工程Ｓ１０４の判定を行う。
【００５１】
続いて、例えば触媒再生判断部１１ｂが、工程Ｓ１０４においてバルブ３５を開状態とした時点から（すなわち、脱硫器２における脱硫方式が水添脱硫に切り替えられた時点から）、所定時間Ｆ３（ｍｉｎ）に設定されたタイマのカウントを開始する（工程Ｓ１０６）。
【００５２】
続いて、例えば制御部１１が、工程Ｓ１０５において開始されたタイマのカウントが終了したか否か（すなわち、所定時間Ｆ３（ｍｉｎ）だけカウントアップしたか否か）の判定を行う（工程Ｓ１０７）。この判定は、工程Ｓ１０４においてバルブ３５を開状態とした時点から（すなわち、脱硫器２における脱硫方式が水添脱硫に切り替えられた時点から）、所定時間Ｆ３（ｍｉｎ）が経過したか否かの判定に相当する。
【００５３】
続いて、工程Ｓ１０７の判定の結果、工程Ｓ１０６において開始されたタイマのカウントが終了した場合、すなわち、脱硫器２における脱硫方式が水添脱硫に切り替えられた時点から所定時間Ｆ３（ｍｉｎ）が経過した場合、リサイクルガスラインＲのバルブ３５を閉状態とする（工程Ｓ１０８）。より具体的には、例えば触媒再生判断部１１ｂが、リサイクルガスラインＲのバルブ３５を閉じるための信号をバルブ３５（或いはその制御手段）に送信し、該バルブ３５を閉状態とする。これにより、脱硫器２へのリサイクルガスの導入が停止され、脱硫器２における脱硫方式が、再び吸着脱硫に切り替えられる。なお、工程Ｓ１０７の判定の結果、タイマのカウントが終了していない場合には、所定時間経過後に再び工程Ｓ１０７の判定を行う。
【００５４】
続いて、工程Ｓ１０８において脱硫器２における脱硫方式が吸着脱硫に切り替えられたため、再び積算流量のカウントを可能とするために、例えば積算流量計算部１１ａが、積算流量のカウントを０に戻す（工程Ｓ１０９）。その後、燃料電池システム１における発電目標値（電力値）を所定値Ｆ４（Ｗ）に設定し（工程Ｓ１１０）、当該切り替え工程を終了する。なお、工程Ｓ１１０は、一時的に発電を停止していた燃料電池システム１において再び発電を開始するための工程であるので、所定値Ｆ４（Ｗ）は０（Ｗ）よりも大きな値に設定される。より具体的には、所定値Ｆ４（Ｗ）は、例えば、電力の供給先の施設における電力需要に応じて決定される。
【００５５】
このように、この切り替え工程においては、脱硫器２における脱硫方式を、改質器２０において発生した改質ガスの少なくとも一部（リサイクルガス）を用いた水添脱硫とリサイクルガスを用いない吸着脱硫との間で切り替える。より具体的には、この切り替え工程においては、水素含有燃料の積算流量が一定量に達するごとに（積算流量が所定量Ｆ１（Ｌ）よりも大きくなったときに）、所定時間（所定時間Ｆ３（ｍｉｎ））だけ、リサイクルガスラインＲを介してリサイクルガスを脱硫器２に導入して脱硫器２の脱硫方式を水添脱硫に切り替える。
【００５６】
引き続いて、本実施形態に係る脱硫方法のうちの切り替え工程の別例について説明する。図４は、本実施形態に係る脱硫方法のうちの切り替え工程の別例を示すフローチャートである。図４に示される切り替え工程は、燃料電池システム１が停止工程を実施しているときに行われる。図４に示されるように、ここでは、まず、燃料電池システム１の発電目標値（電力値）が０（Ｗ）に設定される（工程ＳＳ２０１）。つまり、この工程Ｓ２０１において、燃料電池システム１の実施する工程が停止工程とされる。
【００５７】
続いて、例えば制御部１１の制御の元で、水素含有燃料供給部７から燃料電池システム１に導入される水素含有燃料の流量（フィードガス流量）を所定量Ｆ５（Ｌ／ｍｉｎ）とし、水供給部８から改質器２０に供給される水量（プロセス水量）を所定量Ｆ６（ｇ／ｍｉｎ）とし、酸化剤供給部９からセルスタック５のカソード１３に供給される酸化剤の流量（カソードガス流量）を所定量Ｆ７（Ｌ／ｍｉｎ）とする（工程Ｓ２０２）。
【００５８】
この工程Ｓ２０２は、燃料電池システム１を冷却するための工程である。したがって、フィードガス流量に関する所定量Ｆ５（Ｌ／ｍｉｎ）は、停止工程時におけるフィードガス流量であり、フィードポンプの制御可能範囲において最低流量に設定される。また、プロセス水量に関する所定量Ｆ６（ｇ／ｍｉｎ）は、停止工程時におけるプロセス水流量であり、フィードガス流量に関する所定量Ｆ５（Ｌ／ｍｉｎ）に応じて所定のＳ／Ｃ（例えば２〜３）になるように設定される。一方で、カソードガス流量に関する所定量Ｆ７（Ｌ／ｍｉｎ）は、停止工程時におけるカソードガス流量であり、カソードブロアの制御可能範囲内において最大流量に設定される。これにより、燃料電池システム１の温度が徐々に低下していく。なお、この工程Ｓ２０２から所定時間の間は、依然として、改質器２０が水素を含有する改質ガスを発生可能な状態である（すなわち、リサイクルガスをリサイクルガスラインＲを介して循環可能な状態である）。
【００５９】
続いて、リサイクルガスラインＲのバルブ３５を開状態とする（工程Ｓ２０３）。より具体的には、例えば触媒再生判断部１１ｂが、リサイクルガスラインＲのバルブ３５を開くための再生工程信号をバルブ３５（或いはその制御手段）に送信し、該バルブ３５を開状態とする。これにより、脱硫器２に対してリサイクルガスラインＲを介してリサイクルガスが導入され、脱硫器２における脱硫方式が水添脱硫に切り替えられる。
【００６０】
続いて、例えば制御部１１が、改質器２０の出口温度が所定温度Ｆ８（℃）よりも低いか否かの判定を行う（工程Ｓ２０４）。所定温度Ｆ８（℃）は、改質可能最低温度であり、未改質ガス（Ｃ２以上の炭化水素）が発生しない範囲において、可能な限り低い温度に設定される。このように所定温度Ｆ８（℃）を設定する目的は、未改質ガスがセルスタック５に供給されることに起因してセルスタック５が劣化することを防止することである（すなわち、セルスタック５の保護である）。
【００６１】
続いて、工程Ｓ２０４の判定の結果、改質器２０の出口温度が所定温度Ｆ８（℃）よりも低い場合、セルスタック５の保護のために改質器２０を停止する。その結果、脱硫器２にリサイクルガスを導入できなくなるため、リサイクルガスラインＲのバルブ３５を閉状態とする（工程Ｓ２０５）。より具体的には、例えば触媒再生判断部１１ｂが、リサイクルガスラインＲのバルブ３５を閉じるための信号をバルブ３５（或いはその制御手段）に送信し、該バルブ３５を閉状態とする。これにより、脱硫器２における脱硫方式が、再び吸着脱硫に切り替えられる。
【００６２】
なお、工程Ｓ２０２において燃料電池システム１の冷却を開始した後に、工程Ｓ２０４において改質器２０の出口温度が上述した所定温度Ｆ８（℃）よりも低くなるまでの間には、ある程度の時間（例えば２〜３時間）がかかる。したがって、ここでは、その時間だけ脱硫器２の脱硫方式が吸着脱硫から水添脱硫に切り替えられることになる。工程Ｓ２０４の判定の結果、改質器２０の出口温度が所定温度Ｆ８（℃）以上である場合、所定時間経過後に再び工程Ｓ２０４の判定を行う。
【００６３】
続いて、例えば制御部１１の制御の元で、フィードガス流量を０（Ｌ／ｍｉｎ）とし、プロセル水量を０（ｇ／ｍｉｎ）とし、カソードガス流量を所定量Ｆ７（Ｌ／ｍｉｎ）とする（工程Ｓ２０６）。これにより、酸化剤のみが流通される状態となり、燃料電池システム１のさらなる冷却が行われる。
【００６４】
続いて、例えば制御部１１が、改質器２０の出口温度が所定温度Ｆ９（℃）よりも低いか否かの判定を行う（工程Ｓ２０７）。この工程Ｓ２０７は、燃料電池システム１が十分に冷却されているか否かの判定行う工程である。所定温度Ｆ９（℃）は、停止工程温度であり、例えば、次回の起動工程時にセルスタック５へ未改質ガスが供給されてもセルスタック５が劣化しない温度である。
【００６５】
その後、工程Ｓ２０７の判定の結果、改質器２０の出口温度が所定温度Ｆ９（℃）よりも低い場合、例えば制御部１１の制御の元で、カソードガス流量を０（Ｌ／ｍｉｎ）として（工程Ｓ２０８）、燃料電池システム１が停止される。また、ここでの切り替え工程も終了する。なお、工程Ｓ２０７の判定の結果、改質器２０の出口温度が所定温度Ｆ９（℃）以上である場合、所定時間経過後に再び工程Ｓ２０７の判定を行う。
【００６６】
以上説明したように、この脱硫システム１００及び脱硫方法においては、水素含有燃料の脱硫方式が、リサイクルガスを用いた水添脱硫と吸着脱硫との間で切り替えられる。特に、脱硫方式は、一定時間経過するごとに、又は、水素含有燃料の積算流量が一定量に達するごとに、リサイクルガスラインＲを介してリサイクルガスを所定時間だけ脱硫器２に導入することによって、その所定時間だけ吸着脱硫から水添脱硫に切り替えられる。
【００６７】
つまり、本実施形態に係る脱硫システム１００及び脱硫方法においては、リサイクルガスラインＲからのリサイクルガスを用いた水添脱硫が所定時間だけ行われ、それ以外の時間には吸着脱硫が行われる。このため、リサイクルガスラインＲを介して脱硫器２にリサイクルガスを導入する時間が短縮される。その結果、リサイクルガスラインＲにおけるリサイクルガスの放熱が抑えられ、燃料電池システム１の発電効率の低下が抑制される。これにより、リサイクルガスラインＲに対してリサイクルガスの流量を抑制する機構を別途設ける必要がなくなり、構成の複雑化が避けられる。さらに、リサイクルガスラインが閉塞する可能性が低くなり、信頼性の低下が抑制される。
【００６８】
なお、本実施形態に係る脱硫システム１００及び脱硫方法においては、上述したように、定期的に、リサイクルガスが脱硫器２に導入され、脱硫方式が水添脱硫に切り替えられる。このとき、吸着脱硫の間に脱硫触媒に吸着された硫黄分等がリサイクルガスの導入により分解され、脱硫触媒が再生される。このため、脱硫触媒の量を低減して脱硫器２を小型化することも可能となる。
【００６９】
また、本実施形態に係る脱硫システム１００及び脱硫方法においては、燃料電池システム１が停止工程を実施しているときに（或いは、発電中であれば一時的に停止させための工程を実施した後に）、脱硫器２の脱硫方式を水添脱硫に切り替えることができる。このように、リサイクルガスラインＲを介してリサイクルガスを脱硫器２に導入することにより脱硫方式を水添脱硫に切り替える際に、燃料電池システム１が発電工程を実施していなければ、発電効率の低下を確実に抑制することができる。
【００７０】
また、本実施形態に係る脱硫システム１００においては、リサイクルガスラインＲに対して水分を除去するドレーナ３２が設けられている。このため、リサイクルガスラインＲを流通するリサイクルガスから水分が除去される結果、効率的に脱硫触媒の再生を行うことができる。
【００７１】
以上の実施形態は、本発明に係る脱硫システム及び脱硫方法の一実施形態について説明したものである。したがって、本発明に係る脱硫システム及び脱硫方法は、上述したものに限定されない。本発明に係る脱硫システム及び脱硫方法は、各請求項の要旨を変更しない範囲において、上述したものを変形したものとすることができる。
【００７２】
例えば、リサイクルガスラインＲにシフト触媒を充填してもよい。この場合、リサイクルガスラインＲに充填されたシフト触媒のシフト反応によって、リサイクルガスラインＲを介して脱硫器２に導入されるリサイクルガスの水素濃度が向上する。このため、リサイクルガスの導入による脱硫触媒の再生時間が短縮される。また、リサイクルガスラインＲを流通するリサイクルガスの水分量がシフト反応により低下させられるため、ドレンの発生によるリサイクルガスラインＲの閉塞が抑制される。このため、信頼性が向上する。
【００７３】
また、リサイクルガスラインＲに対して、シフト触媒に代えて、或いはシフト触媒に加えて、メタネータ触媒を充填してもよい。この場合、メタネータ触媒のメタネーション反応によって、リサイクルガスラインＲを流通するリサイクルガスのＣＯ濃度を低減できる。なお、リサイクルガスラインＲに対してシフト触媒とメタネータ触媒との両方を入れる場合には、メタネータ触媒はシフト触媒の後段側に入れられる。
【００７４】
また、上述した脱硫方法の切り替え工程の一例においては、積算流量に基づいて脱硫器２の脱硫方式を水添脱硫に切り替える場合について説明した。しかしながら、この切り替え工程の一例においては、以下のように、吸着脱硫の経過時間に基づいて脱硫器２の脱硫方式を水添脱硫に切り替えてもよい。すなわち、その場合には、まず、脱硫器２において吸着脱硫が開始されてからの経過時間のカウントを開始する。
【００７５】
続いて、カウントされた経過時間が所定時間Ｔ１（ｍｉｎ）よりも大きいか否かを判定する。これは、脱硫器２の脱硫触媒が十分に吸着脱硫可能な状態であるか、或いは再生を行う必要がある状態であるかを、経過時間を目安にして判定することに相当する。そして、経過時間が所定時間Ｔ１（ｍｉｎ）よりも大きい場合に、図３における工程Ｓ１０３以降を実施し、脱硫器２の脱硫方式を水添脱硫に切り替える。
【００７６】
つまり、この切り替え工程の一例においては、一定時間経過するごとに（経過時間が所定時間Ｔ１（ｍｉｎ）を超えたときに）、所定時間（所定時間Ｆ３（ｍｉｎ））だけ、リサイクルガスラインＲを介してリサイクルガスを脱硫器２に導入して脱硫器２の脱硫方式を水添脱硫に切り替えることができる。なお、燃料電池システム１を負荷変動なしで一定発電システムとする場合には、流量計３７を設けなくてもよい。その場合には、水素含有燃料のフィード量が一定となるので、吸着脱硫の経過時間から水素含有燃料の積算流量を計算することが可能となる。
【００７７】
さらに、上述した脱硫システム１００及び脱硫方法においては、例えば、制御部１１が、燃料電池システム１が停止工程を実施しているときに限らず、燃料電池システム１が発電工程以外の他の工程を実施しているときに、上述したように脱硫器２の脱硫方式を水添脱硫に切り替えることができる。
【符号の説明】
【００７８】
１…燃料電池システム、２…脱硫器、１１…制御部、２０…改質器、３２…ドレーナ（水分除去機構）、Ｒ…リサイクルガスライン（導入ライン）。
【図１】
2016021282.tif 000003
【図２】
2016021282.tif 000004
【図３】
2016021282.tif 000005
【図４】
2016021282.tif 000006